(57)【要約】【課題】ＡＬＣ板を用いた植栽基盤と屋上コンクリートスラブとの間に排水用のすき間を確保して、複数の植栽基盤を屋上コンクリートスラブ上に同時に且つ確実に固定することができ、高層の強風荷重に対する耐風性を向上させた屋上緑化用植栽基盤の固定構造を提供する。【解決手段】ＡＬＣ板の上面に植物の育成が可能な培養材料を積層してなる植栽基盤を、屋上コンクリートスラブ上に複数並列させると共に、植栽基盤の各隅部に、支持台と、この支持台の上部に下端を穿設可能で上端にストッパーを備えた棒状金具と、この棒状金具に嵌合可能な穴部を中心に備えた押えプレートとからなる固定具を配置し、支持台と押えプレートとの間に屋上緑化用植栽基盤１０を挟持する。【選択図】    図１
2004218370.tif 000002
【特許請求の範囲】
【請求項１】
軽量気泡コンクリート板の上面に植物の育成が可能な培養材料を積層してなる屋上緑化用植栽基盤を、屋上コンクリートスラブ上に複数並列させると共に、前記屋上緑化用植栽基盤の各隅部に、支持台と、この支持台に下端が穿設可能な先端部を有し上端にストッパーを備えた棒状金具と、この棒状金具に挿通可能な穴部を中心に備えた押えプレートとからなる固定具を配置し、前記固定具の支持台を前記屋上コンクリートスラブ上に固着せしめ、かつ前記支持台と押えプレートとの間に前記屋上緑化用植栽基盤を挟持し、前記支持台に対して前記棒状金具の先端部を係止することにより、前記屋上緑化用植栽基盤の各隅部を、前記押えプレートと前記支持台とで締付け固定してなることを特徴とする屋上緑化用植栽基盤の固定構造。
【請求項２】
前記固定具の押えプレートが円板状であることを特徴とする請求項１に記載の屋上緑化用植栽基盤の固定構造。
【請求項３】
前記固定具の棒状金具の先端部がセルフタップねじから構成されていることを特徴とする請求項１または２に記載の屋上緑化用植栽基盤の固定構造。
【請求項４】
前記固定具の支持台が中空の角錐状からなり、底部にフランジ部を有することを特徴とする請求項１〜３のいずれか１項に記載の屋上緑化用植栽基盤の固定構造。
【請求項５】
前記固定具の支持台が、接着剤による接合、金属くぎの打込みまたはボルト／ナット結合のいずれかにより屋上コンクリートスラブ上に固着されていることを特徴とする請求項１〜４のいずれか１項に記載の屋上緑化用植栽基盤の固定構造。
【請求項６】
前記屋上緑化用植栽基盤と前記屋上コンクリートスラブとの間に形成される隙間の高さに応じて、前記支持台の高さが設定されていることを特徴とする請求項１〜５のいずれか１項に記載の屋上緑化用植栽基盤の固定構造。
【発明の詳細な説明】
【０００１】
【発明の属する技術分野】
本発明は、建造物の屋上などの緑化に使用する屋上緑化用植栽基盤の固定構造に関するものである。さらに詳しくは、軽量気泡コンクリート板を用いた屋上緑化用植栽基盤と屋上コンクリートスラブとの間に排水用のすき間を確保して、複数の屋上緑化用植栽基盤を屋上コンクリートスラブ上に同時に且つ確実に固定することができ、高層の強風荷重に対する耐風性を向上させた屋上緑化用植栽基盤の固定構造に関するものである。
【０００２】
【従来の技術】
近年では、都市部の美観や緑化促進の要求から、建造物の屋上やその他の空間、例えばベランダなどに植物を植栽する試みが頻繁になされるようになっている。このような試みの多くにおいては、建造物の屋上コンクリートスラブに載置したコンクリート槽内に土壌を充填し、この土壌に播種、播苗、插し木などを行なうことにより植物を植栽していた。しかし、このような方法では、コンクリート槽および土壌にかなりの重量を必要として、建造物に悪影響を及ぼすばかりか、防水や排水のために多くの考慮を払わなければならないという問題があった。
【０００３】
そこで、最近では、植栽基盤として軽量なポーラス（多孔質）コンクリートを使用したもの（例えば、特許文献１参照）、およびポーラスコンクリート上に土壌を含む植栽層を積層したもの（例えば、特許文献２および３参照）などが開発され、植栽基盤の軽量化や排水性の改良が図られている。
【０００４】
しかしながら、ポーラスコンクリートは、排水性に優れる反面保水性が悪いこと、アルカリ度が高いため植物の成育に悪影響を与えること、および通常のコンクリートに比べて軽量とはいえかなり重いため取扱性、施工性が悪いことなどの欠点を有していることから、屋上緑化用植栽基盤としての性能を十分に満たすものではなかった。
【０００５】
これに対し、本出願人は、ポーラスコンクリートに比べてさらに軽量で、低アルカリ度であると共に、保水性と排水性のバランスに優れた植栽基盤として、軽量気泡コンクリート板（以下、ＡＬＣ板と呼ぶ）の上面に土壌を含む植栽層を積層した屋上緑化用植栽基盤（例えば、特許文献４参照）を先に提案している。
【０００６】
ところで、上述した従来の屋上緑化用植栽基盤を建造物の屋上コンクリートスラブに配置するに際しては、一般に植栽基盤またはこの植栽基盤を収納した枠体を屋上コンクリートスラブ上に単に載置する自重固定方法、あるいは両者の間に接着剤を介して固着する接着固定方法がとられていた。しかし、特に高層の建造物の屋上は常に強風に晒され、ひどい場合には吹き上げによる負の風荷重が植栽基盤にかかることになる。そのため、植栽層が吹き飛ばされたり、植栽基盤に位置ずれを生じるなどの問題をしばしば生じており、特にそれ自体が軽量で自重の小さいＡＬＣ板を用いた植栽基盤の場合には、強風による問題が一層顕在化していた。
【０００７】
【特許文献１】
特開平４−３７００３８号公報
【特許文献２】
特開平１１−２１８９７号公報
【特許文献３】
特開平１１−４３９４４号公報
【特許文献４】
特願２００２−００５２４２号明細書
【０００８】
【発明が解決しようとする課題】
本発明は、上述した従来技術における問題点の解決を課題として検討した結果達成されたものである。
【０００９】
したがって、本発明の目的は、ＡＬＣ板を用いた屋上緑化用植栽基盤と屋上コンクリートスラブとの間に排水用のすき間を確保して、複数の屋上緑化用植栽基盤を屋上コンクリートスラブ上に同時に且つ確実に固定することができ、高層の強風荷重に対する耐風性を向上させた屋上緑化用植栽基盤の固定構造を提供することにある。
【００１０】
【課題を解決するための手段】
上記の課題を解決するために、本発明の屋上緑化用植栽基盤の固定構造は、ＡＬＣ板の上面に植物の育成が可能な培養材料を積層してなる屋上緑化用植栽基盤を、屋上コンクリートスラブ上に複数並列させると共に、前記屋上緑化用植栽基盤の各隅部に、支持台と、この支持台に下端が穿設可能な先端部を有し、上端にストッパーを備えた棒状金具と、この棒状金具に挿通可能な穴部を中心に備えた押えプレートとからなる固定具を配置し、前記固定具の支持台を前記屋上コンクリートスラブ上に固着せしめ、かつ前記支持台と押えプレートとの間に前記屋上緑化用植栽基盤を挟持し、前記支持台に対して前記棒状金具の先端部を係止することにより、前記屋上緑化用植栽基盤の各隅部を、前記押えプレートと前記支持台とで締付け固定してなることを特徴とする。
【００１１】
本発明の屋上緑化用植栽基盤の固定構造においては、
（１）前記固定具の押えプレートが円板状であること、
（２）前記固定具の棒状金具の先端部がセルフタップねじから構成されていること、
（３）前記固定具の支持台が、中空の角錐状からなり底部にフランジ部を有することを特徴とすること、
（４）前記固定具の支持台が、接着剤による接合、金属くぎの打込みまたはボルト／ナット結合のいずれかにより屋上コンクリートスラブ上に固着されていること、
（５）前記屋上緑化用植栽基盤と前記屋上コンクリートスラブとの間に形成される隙間の高さに応じて、前記支持台の高さが設定されていること、
がいずれも好ましい条件であり、これらの条件を満たすことによって、さらに優れた効果の発現を期待することができる。
【００１２】
【発明の実施の形態】
以下に、本発明の屋上緑化用植栽基盤の固定構造について、図面にしたがって詳述する。
【００１３】
図１は本発明の屋上緑化用植栽基盤の固定構造の概要説明図、図２は本発明で使用する固定具の一例を示す斜視説明図、図３は屋上緑化用植栽基盤の各隅部に固定具を配置した例を示す斜視説明図、図４は本発明の屋上緑化用植栽基盤の固定構造の一例を示す断面説明図、図５は固定具の支持台の他の一例を示す斜視説明図である。
【００１４】
図１および図４に示したように、本発明の屋上緑化用植栽基盤の固定構造は、屋上コンクリートスラブ３０上に固着された支持台２１と、この支持台２１に下端が穿設可能な先端部２４と上端にストッパー２５を備えた棒状金具２３と、この棒状金具２３に挿通可能な穴部２６を中心に備えた押えプレート２７とからなる固定具２０が配置されている。
【００１５】
そして、前記支持台２１と前記押えプレート２７との間には、ＡＬＣ板１１と土壌１２と植生シート１３とからなる屋上緑化用植栽基盤１０が配置されている。また、屋上コンクリートスラブ３０と前記屋上緑化用植栽基盤１０との間に、隙間４０が設けられている。また、これら屋上緑化用植栽基盤１０の各隅部に、複数の固定具２０を配置することにより基本的に構成されている。
【００１６】
すなわち本発明の屋上緑化用植栽基盤１０の固定構造は、前記支持台２１を前記屋上コンクリートスラブ３０に固着し、前記支持台２１に前記屋上緑化用植栽基盤１０を配置する。そして、前記屋上緑化用植栽基盤１０の上方より前記押えプレート２７を載置し、この押えプレート２７の中央部にある穴部２６に、前記棒状金具２３を挿通し、前記支持台２１に対して打ち込むことにより前記屋上緑化用植栽基盤１０を確実に挟持する構造である。
【００１７】
このことで、前記屋上緑化用植栽基盤１０は、屋上への風の吹き上げによる負の風荷重に晒されても吹き飛ばされたり、位置ずれを生じることがない。また、前記屋上緑化用植栽基盤１０と屋上コンクリートスラブ３０との間に隙間４０を設けている。これにより、屋上緑化用植栽基盤１０に吸水された余分な水分の排水機構としての機能を果たすため、スペーサーや他の排水機構をさらに設ける必要がなく、経済的であるばかりか、植生植物の水分過多による根腐れなどの被害を未然に防止することができる。
【００１８】
前記押えプレート２７は、その製造の容易さから厚さ２ｍｍ〜６ｍｍで、その外形直径は、４０ｍｍ〜１５０ｍｍ程度が好ましい。前記外形直径が４０ｍｍ未満であると、風荷重に対する挟持力が弱くなり、また１５０ｍｍを越えても挟持力に余り差がなく、経済性が薄れる。
【００１９】
前記棒状金具２３は、その長さが７０ｍｍ〜１１０ｍｍ程度で、その直径が５ｍｍ〜１０ｍｍ程度であると、前記屋上緑化用植栽基盤１０を余裕を持って挟持できるため好ましい。
【００２０】
また、前記支持台２１は、たてが５０ｍｍ〜１５０ｍｍ、横が５０ｍｍ〜１５０ｍｍ、高さが１０ｍｍ〜５０ｍｍ程度が好ましい。このことで、前記屋上緑化用植栽基盤１０を前記支持台２１に載置できるとともに、前記屋上緑化用植栽基盤１０の下方に排水用の十分な隙間を確保できるため好ましい。
【００２１】
また、前記屋上緑化用植栽基盤１０と前記屋上コンクリートスラブ３０との間に形成される隙間４０の高さに応じて、前記支持台２１の高さが設定されていると、前記屋上コンクリートスラブ３０に不陸がある場合、その起伏に応じて前記支持台２１の高さを変えることで、各屋上緑化用植栽基盤１０を同一水平面上に設定することができる。
【００２２】
さらに、図１に示すように、前記押えプレート２７が円盤状であると、前記屋上緑化用植栽基盤１０の各隅部を上方より挟持したとき、いずれの隅部においても均等な面積で挟持できるため好ましい。また、角部がないため、他の部材を傷つけることもない。
【００２３】
また、図２に示すように、前記棒状金具２３の下端がセルフタップねじであると、前記支持台２１に前記棒状金具２３の下端を容易にねじ込むことができる。このことで前記押えプレート２７の穴部２６に前記棒状金具２３を挿通し、前記屋上緑化用植栽基盤１０を上方より強力にかつ容易に挟持できる。
【００２４】
また、図５に示すように支持台２２が中空の角錐状からなり底部にフランジ部２２ａを有している。前記支持台２２が中空であるため、前記棒状金具２３を前記支持台２２に容易に穿設できる。また、フランジ部２２ａを有しているため、該箇所にドリルねじ２２ｂをねじ込むことで屋上コンクリートスラブ３０に容易に固着できるため好ましい。
【００２５】
前記支持台２２の厚さが２ｍｍ〜５ｍｍ程度であると、前記棒状金具２３の支持台への穿設の容易性および前記屋上緑化用植栽基盤１０の荷重に対する耐力性の点からも好ましい。
【００２６】
また、前記支持台２２を角錐状にすることにより、前記屋上緑化用植栽基盤１０を容易に載置できるとともに支持台２２の高さを任意に設けることにより前記隙間４０の高さを変えることができ好ましい。
【００２７】
また、前記支持台２２が、接着剤による接合、金属くぎの打ち込みまたはボルト／ナット結合のいずれかにより屋上コンクリートスラブ３０上に固着すると、上述したように負の風荷重に対して、充分耐えうる付着強度を有するため好ましい。
【００２８】
さらに、前記屋上緑化用植栽基盤１０と前記屋上コンクリートスラブ３０との間に形成される隙間４０の高さに応じて、前記支持台２２の高さが設定されていると、前記屋上コンクリートスラブ３０に不陸がある場合、その起伏に応じて前記支持台２２の高さを変えることで、各屋上緑化用植栽基盤１０を同一水平面に設定することができるため好ましい。
【００２９】
前記固定具２０の各部は、負の風荷重に対する耐力や防錆性などの点で、鉄、ステンレス、アルミニウム、強化アルミ合金などの金属、および強化プラスチックなどで構成することが好ましい。
【００３０】
また、本発明において、屋上緑化用植栽基盤１０にＡＬＣ板１１が用いられているため、押えプレート２７が当接するＡＬＣ板１１の表層部を容易に切削して、凹部を設けることができる。これにより、棒状金具２３の上端と前期植生シート１３とを同一平面とすることが可能となり、外観性も向上し好ましいものとなる。
【００３１】
以上の構成からなる屋上緑化用植栽基盤１０を屋上コンクリートスラブ３０上に固定する本発明の施工方法について、実施例に基づいて説明する。
【００３２】
【実施例１】
本発明の固定構造を構築するに際しては、まず図１に示したように、ＡＬＣ板１１の上面に縦横に凹溝１１ａを配置し、その上部に土壌１２を積層配置し、さらに該土壌１２の上部に植生シート１３を積層した屋上緑化用植栽基盤１０を準備した。
【００３３】
図１に示すように、前記ＡＬＣ板１１はその内部に補強鉄筋５０を内在した、縦６００ｍｍ×横６００ｍｍの正方形のものであり、その厚さは５０ｍｍのものである。そして、まず複数の前記屋上緑化用植栽基盤１０を、屋上コンクリートスラブ３０上に並べて敷設した。
【００３４】
次に、図２に示すように、各屋上緑化用植栽基盤１０の各隅部に配置する中空の角錐状からなる支持台２１（厚さ５ｍｍ、縦×横×高さ＝１００ｍｍ×１００ｍｍ×３０ｍｍ）を準備した。そして、前記各屋上緑化用植栽基盤１０の各隅部に対応するようにＡＬＣ板１１の位置決めを行い、前記支持台２１を屋上コンクリートスラブ３０上に接着剤を用いて固着した。
【００３５】
そして、前記屋上緑化用植栽基盤１０の各隅部を各支持台２１上に載置した。次いで、図３に示すように前記各隅部に均等に当接するよう円盤状の押えプレート２７（ステンレス製の、厚さ３ｍｍで、外形直径が１００ｍｍ）を上方より載置した。前記支持台２１は、厚さ５ｍｍのステンレス製の板を用い、中空の角錐状に仕上げたものである。
【００３６】
次に、先端部がセルフタップねじ２４（ステンレス製の、直径が５ｍｍで、長さが９０ｍｍ）で構成された棒状金具２３を、前記押えプレート２７の穴部２６に挿通したのち、前記棒状金具２３を専用治具（図示せず）で締め付け、そして前記支持台２１に穿設し、本発明の屋上緑化用植栽基盤の固定構造を完成した。
【００３７】
かくして完成した固定構造は、前記押えプレート２７と前記支持台２１との間に頑強に前記屋上緑化用植栽基盤１０が挟持された構造であり、また前記屋上緑化用植栽基盤１０と前記屋上コンクリートスラブ３０との間に隙間４０が保持された状態となる。
【００３８】
【実施例２】
次に、図５に示すように中空の角錐状からなり、その底部に二つのフランジ部２２ａを有する支持台２２を用いた。前記支持台２２を用い、屋上緑化用植栽基盤１０を屋上コンクリートスラブ３０に固定する施工方法について説明する。
【００３９】
前記実施例１と同じ前記屋上緑化用植栽基盤１０を準備した。そして、前記実施例１と同様に前記屋上コンクリートスラブ３０上に、前記屋上緑化用植栽基盤１０を並べて敷設した。
【００４０】
次に、前記屋上緑化用植栽基盤１０の各隅部に対応するように、ＡＬＣ板１１の位置決めを行った。そして、前記各屋上緑化用植栽基盤１０をその各隅部に対応する位置に、前記支持台２２の二つのフランジ部２２ａにドリルねじ２２ｂをねじ込み、屋上コンクリートスラブ３０上に固着した。
【００４１】
前記支持台２２は、前記実施例１と同様、厚さ５ｍｍのステンレス製の板を用い、中空の角錐状に仕上げフランジ部２２ａを取り付けたものである。そして、この支持台２２の外形寸法は、中空の角錐状の部分においては、前記実施例１と同寸法とした。また、フランジ部２２ａの外形寸法は、縦×横＝５０ｍｍ×１００ｍｍとした。
【００４２】
次に、各支持台２２上に前記屋上緑化用植栽基盤１０の各隅部を載置したのち、図３に示すように前記各隅部に均等に当接するよう押えプレート２７を上方より載置した。次に、下端がセルフタップねじ２４で構成された棒状金具２３を、前記押えプレート２７の穴部２６に挿通したのち、前記棒状金具２３のセルフタップねじ２４を回動させて螺入し（棒状金具２３を回動させて、支持台２２に螺入させる。）、本発明の屋上緑化用植栽基盤の固定構造を完成した。尚、棒状金具２３および押えプレート２７は、前記実施例１と同様のものを用いた。
【００４３】
かくして完成した固定構造は、前記実施例１と同様に、前記押えプレート２７と前記支持台２２との間に前記屋上緑化用植栽基盤１０が頑強に挟持された構造であり、また前記屋上緑化用植栽基盤１０と前記屋上コンクリートスラブ３０との間に隙間４０が保持された状態となる。
【００４４】
以上のようにして屋上コンクリートスラブ３０上に固定された屋上緑化用植栽基盤１０に対しては、様々な植物を植栽することが可能であり、例えばツルマンネングサ、メキシコマンネングサ、メノマンネングサ、オノマンネングサ、マルバマンネングサなどの一般に根茎がそれほど発達しないベンケイソウ科セダム属の植物以外にも、スベリヒユ科およびツル科などの多肉植物、他の観葉植物、開花植物などを植栽することによって、都市部の美観や緑化促進に大きく貢献することができる
【００４５】
【発明の効果】
以上説明したとおり、本発明の屋上緑化用植栽基盤の固定構造によれば、ＡＬＣ板を用いた屋上緑化用植栽基盤と屋上コンクリートスラブとの間に排水用のすき間を確保して、複数の屋上緑化用植栽基盤を屋上コンクリートスラブ上に同時に且つ確実に固定することができ、高層の強風荷重に対する耐風性を向上させて、安全性と美観を恒久的に確保することが可能である。
【図面の簡単な説明】
【図１】図１は本発明の屋上緑化用植栽基盤の固定構造の概要説明図である。
【図２】図２は本発明で使用する固定具の一例を示す斜視説明図である。
【図３】図３は屋上緑化用植栽基盤の各隅部に固定具を配置した例を示す斜視説明図である。
【図４】図４は本発明の屋上緑化用植栽基盤の固定構造の一例を示す一部断面説明図である。
【図５】図５は固定具の支持台の他の一例を示す斜視説明図である。
【符号の説明】
１０        屋上緑化用植栽基盤
１１        ＡＬＣ板
１１ａ    凹溝
１２        土壌
１３        植生シート
２０        固定具
２１，２２        支持台
２２ａ    フランジ部
２２ｂ    ドリルねじ
２３        棒状金具
２４        先端部（セルフタップねじ）
２５        ストッパー
２６        穴部
２７        押えプレート
３０        屋上コンクリートスラブ
４０        隙間
５０    補強筋
【図１】
2004218370.tif 000003
【図２】
2004218370.tif 000004
【図３】
2004218370.tif 000005
【図４】
2004218370.tif 000006
【図５】
2004218370.tif 000007